(57)【要約】【課題】ベースの開口部を塞ぐカバーの突出量が操作部の移動量よりも小さい落し錠とする。【解決手段】ベース１の開口部２に沿って移動する操作部３に落し棒４を取付け、この操作部３とともに移動するカバー５で開口部２を塞ぐ落し錠において、前記カバー５は操作部３に連結された第１カバー１０と、この第１カバー１０に対して相対的に移動する第２カバー２０で伸縮自在で、この第２カバー２０は開口部２を塞ぐ下方位置に保持されると共に、第１カバー１０によって上方位置に移動されるようにし、操作部３をストロークエンド位置に移動すると第１カバー１０と第２カバー２０が縮み作動して長さが短く、ベース１からの突出量が小さく、操作部３をストロークエンド位置から一方向に移動すると第１カバー１０と第２カバー２０が伸び作動して長さが長くなって開口部２を塞ぐことができる。【選択図】      図２
2004190373.tif 000002
【特許請求の範囲】
【請求項１】
ベース１と、このベース１の開口部２に沿って移動する操作部３と、この操作部３に連結された落し棒４と、前記操作部３とともに移動して開口部２を塞ぐカバー５を備え、
前記カバー５は伸縮自在で、操作部３をストロークエンド位置から一方向に移動すると伸び作動して順次長くなり、操作部３を前述のストロークエンド位置に向けて他方向に移動すると縮み作動して順次短くなる形態であることを特徴とする落し錠。
【請求項２】
カバー５は複数のカバーを備え、その１つのカバーが操作部３に連結され、操作部３の移動によって各カバーが順次移動して長くなると共に、重ね合うことで短くなる形態である請求項１記載の落し錠。
【請求項３】
ベース１と、このベース１の開口部２に沿って移動する操作部３と、この操作部３に連結された落し棒４と、前記操作部３とともに移動して開口部２を塞ぐ上部のカバー５、下部のカバー５を備え、
前記上部のカバー５と下部のカバー５は伸縮自在で、操作部３が上方のストロークエンド位置の時には上部のカバー５は短く、下部のカバー５は長く、かつ操作部３を下方に移動すると上部カバー５が伸び作動して順次長くなると共に、下部カバー５が縮み作動して順次短くなり、操作部３が下方のストロークエンド位置の時には上部のカバー５が長く、下部のカバー５が短く、かつ操作部３を上方に移動すると上部のカバー５が縮み作動して順次短くなると共に、下部カバー５が伸び作動して順次長くなることを特徴とする落し錠。
【請求項４】
上部のカバー５と下部のカバー５は、操作部３に連結した第１カバー１０と、この第１カバー１０に対して移動自在な第２カバー２０をそれぞれ有し、
前記上部のカバー５の第２カバー２０は、ベース１よりも上方に突出した上方位置と開口部２の上部寄りを塞ぐ下方位置とに亘って移動自在で、かつ下方位置に保持され、下方位置の第２カバー２０を第１カバー１０で上方位置まで移動する形態で、
前記下部のカバー５の第２カバー２０は、ベース１よりも下方に突出した下方位置と開口部２の下部寄りを塞ぐ上方位置とに亘って移動自在で、かつ下方位置に保持され、下方位置の第２カバー２０を第１カバー１０で上方位置まで移動する形態である請求項３記載の落し錠。
【発明の詳細な説明】
【０００１】
【発明の属する技術分野】
本発明は、門扉・窓・ドア等に用いる落し錠に関する。
【０００２】
【従来の技術】
特許文献１、特許文献２に落し錠が開示されている。
これらの落し錠は、開口部を有するベースと、この開口部に沿って移動する操作部と、この操作部に取付けた落し棒と、前記操作部に取付けたカバーを備え、操作部を移動することで落し棒を移動すると共に、カバーが移動して開口部を塞ぐ構成である。
【０００３】
【特許文献１】
実公平７−４３３９４号公報
【特許文献２】
特開平９−３２３９１号公報
【０００４】
【発明が解決しようとする課題】
前述の落し錠は、操作部とともにカバーがベースに対して移動するので、そのカバーはベースから突出する。
このカバーの突出量は操作部の移動量とほぼ等しい。
例えば、操作部を開口部の上部まで移動した時にはカバーはベースよりも上方に操作部の移動量だけ突出し、操作部を開口部の下部まで移動した時にはカバーはベースよりも下方に操作部の移動量だけ突出する。
このために、落し錠を門扉に取付けた場合にカバーが門扉に取付けた他の部品と干渉することがある。例えば、落し錠よりも上部に取付けた錠や、落し錠よりも下部に取付けた落し棒のガイド部品に干渉することがある。
このことは、特に、操作部の移動量、つまり落し棒の移動ストロークが長い場合に生じる。
【０００５】
本発明は、前述の課題に鑑みなされたもので、その目的は、ベースの開口部をカバーで塞ぐことができるし、そのカバーのベースからの突出量が操作部の移動量よりも小さい落し錠とすることである。
【０００６】
【課題を解決するための手段】
第１の発明は、ベース１と、このベース１の開口部２に沿って移動する操作部３と、この操作部３に連結された落し棒４と、前記操作部３とともに移動して開口部２を塞ぐカバー５を備え、
前記カバー５は伸縮自在で、操作部３をストロークエンド位置から一方向に移動すると伸び作動して順次長くなり、操作部３を前述のストロークエンド位置に向けて他方向に移動すると縮み作動して順次短くなる形態であることを特徴とする落し錠である。
【０００７】
第２の発明は、第１の発明においてカバー５は複数のカバーを備え、その１つのカバーが操作部３に連結され、操作部３の移動によって各カバーが順次移動して長くなると共に、重ね合うことで短くなる形態である落し錠である。
【０００８】
第３の発明は、ベース１と、このベース１の開口部２に沿って移動する操作部３と、この操作部３に連結された落し棒４と、前記操作部３とともに移動して開口部２を塞ぐ上部のカバー５、下部のカバー５を備え、
前記上部のカバー５と下部のカバー５は伸縮自在で、操作部３が上方のストロークエンド位置の時には上部のカバー５は短く、下部のカバー５は長く、かつ操作部３を下方に移動すると上部カバー５が伸び作動して順次長くなると共に、下部カバー５が縮み作動して順次短くなり、操作部３が下方のストロークエンド位置の時には上部のカバー５が長く、下部のカバー５が短く、かつ操作部３を上方に移動すると上部のカバー５が縮み作動して順次短くなると共に、下部カバー５が伸び作動して順次長くなることを特徴とする落し錠である。
【０００９】
第４の発明は、第３の発明において上部のカバー５と下部のカバー５は、操作部３に連結した第１カバー１０と、この第１カバー１０に対して移動自在な第２カバー２０をそれぞれ有し、
前記上部のカバー５の第２カバー２０は、ベース１よりも上方に突出した上方位置と開口部２の上部寄りを塞ぐ下方位置とに亘って移動自在で、かつ下方位置に保持され、下方位置の第２カバー２０を第１カバー１０で上方位置まで移動する形態で、
前記下部のカバー５の第２カバー２０は、ベース１よりも下方に突出した下方位置と開口部２の下部寄りを塞ぐ上方位置とに亘って移動自在で、かつ下方位置に保持され、下方位置の第２カバー２０を第１カバー１０で上方位置まで移動する形態である落し錠である。
【００１０】
【作  用】
第１の発明によれば、操作部３をストロークエンド位置から一方向に移動するとカバー５が伸び作動して順次長くなるので、このカバー５で開口部２を塞ぐことができる。
操作部３をストロークエンド位置に向けて他方向に移動するとカバー５は縮み作動して順次短くなるので、ベース１からの突出量が操作部３の移動量よりも小さい。
よって、落し錠よりも上部、下部に設けた錠、ガイド部品とカバー５が干渉することを防止できる。
【００１１】
第２の発明によれば、操作部３の移動によって複数のカバーが順次移動して長くなったり、重ね合うことで短くなるので、操作部３の移動によってカバー５が長くなったり、短くなったりするから、カバー５を長くしたり、短くするための動力源等が不要でカバー５が安価であると共に、カバー５は操作部３の位置に応じた長さとなり、開口部２を確実に塞ぐことができる。
【００１２】
第３の発明によれば、操作部３が上方のストロークエンド位置の時に下部のカバー５が長いので、その下部のカバー５で開口部２を塞ぐことができ、上部のカバー５は短くベース１から上方への突出量が小さい。
操作部３が下方のストロークエンド位置の時に上部のカバー５が長いので、その上部のカバー５で開口部２を塞ぐことができ、下部のカバー５は短くベース１から下方への突出量が小さい。
よって、操作部３を上下に移動した時に開口部２をカバー５で塞ぐことができるし、カバー５のベース１から上方への突出量、下方への突出量が操作部３の移動量よりも小さく、落し錠よりも上部、下部に設けた錠、ガイド部品とカバー５が干渉することを防止できる。
【００１３】
第４の発明によれば、操作部３とともに各第１カバー１０が上下に移動し、その各第１カバー１０で下方位置の第２カバー２０を上方位置に移動するので、開口部３を第１カバー１０と第２カバー２０で確実に塞ぐことができると共に、その操作が容易である。
【００１４】
【発明の実施の形態】
図１に示すように、ベース１と、このベース１の開口部２に沿って移動する操作部３と、この操作部３に連結された落し棒４と、前記操作部３とともに移動して開口部２を塞ぐカバー５で落し錠としてある。
前記カバー５は伸縮自在で、操作部３をストロークエンド位置から一方向に移動すると伸び作動して順次長くなり、操作部３を前述のストロークエンド位置に向けて他方向に移動すると縮み作動して順次短くなる。
【００１５】
このようであるから、操作部３をストロークエンド位置に移動した時はカバー５が短いので、そのカバー５のベース１からの突出量が小さくなる。
また、ストロークエンド位置から一方向に移動する時にはカバー５が順次長くなるので、ベース１の開口部２をカバー５で塞ぐことができる。
【００１６】
図１に示す実施の形態では、操作部３の移動方向両側にカバー５がそれぞれ取付けてある。
具体的には、操作部３の上部に上部のカバー５が取付けてあり、操作部３の下部に下部のカバー５が取付けてある。
操作部３を上方のストロークエンド位置とすると上部のカバー５が短くなってベース１よりも上方に突出する突出量が小さくなると共に、下部のカバー５が長くなって操作部３よりも下方の開口部２を塞ぐ。
この場合には、落し棒４が上方に移動して落し錠は解錠状態である。
【００１７】
操作部３を図１に示す上方のストロークエンド位置から一方向（下方のストロークエンド位置）に向けて移動すると上部のカバー５が順次長くなると共に、下部のカバー５が順次短くなり、図２に示すように操作部３が下方のストロークエンド位置となると上部のカバー５が最大長さとなって操作部３よりも上方の開口部２を塞ぎ、下部のカバー５が最も短くなってベース１よりも下方への突出量が小さくなる。
この場合には、落し棒４が下方に移動して落し錠は施錠状態である。
【００１８】
このようであるから、操作部３の移動量（移動ストローク）Ｌに対して上部のカバー５の上方への突出量Ｈ１、下部のカバー５の下方への突出量Ｈ２が小さくなる。
よって、門扉６等に落し錠を取付けた場合に図１に示すように、操作部３を上方のストロークエンド位置として落し棒４を上方に移動した際に、その上部のカバー５が落し錠よりも上部に取付けた錠７に干渉することがない。
また、図２に示すように操作部３を下方のストロークエンド位置として落し棒４を下方に移動した際に、その下部のカバー５が落し錠よりも下部に取付けたガイド部品８に干渉することがない。
【００１９】
この実施の形態では、各カバー５は操作部３に連結した第１カバー１０と、この第１カバー１０に対して相対的に移動自在な第２カバー２０を備えている。
図１に示すように、操作部材３が上方のストロークエンド位置の時には、上部のカバー５の第１カバー１０がベース１よりも上方に突出し、第２カバー２０は第１カバー１０によって上方に移動されてベース１よりも上方に突出した上方位置である。第１カバー１０と第２カバー２０はほぼ同一高さで、上部のカバー５の長さは最小である。
下部のカバー５の第１カバー１０は操作部３とともに上方に移動してベース１内に収納され、第２カバー２０は第１カバー１０によって上方に移動して上方位置、例えばベース１内に収納され上方位置となる。第２カバー２０の上部と第１カバー１０の下部が係止して下部のカバー５の長さは最大である。
【００２０】
図１の状態から操作部３を下方に移動すると、上部のカバー５の第１カバー１０と第２カバー２０が同時に下方に移動し、図３に示すように操作部３が上下中間位置の時に第２カバー２０がベース１に係止して下降しないように支持されて下方位置に保持される。その後は操作部３とともに第１カバー１０のみが下方に移動し、図２に示す下方のストロークエンド位置の時に上部のカバー５の長さは最大となる。
【００２１】
この動作の時に下部のカバー５は次の動作をする。
操作部３とともに第１カバー１０が下方に移動し、それに追従して第２カバー２０も下方に移動する。
操作部３が図３に示す中間位置の時に第２カバー２０がベース１よりも下方に突出し、かつベース１に係止して下方に移動しないように支持されて下方位置に保持される。
操作部３がさらに下方に移動すると第１カバー１０のみが下方に移動して図２に示すようにベース１よりも下方に突出し、その第１カバー１０の下端部と第２カバー２０の下端部の高さはほぼ同一となる。
【００２２】
図２の状態から操作部３を上方に移動すると、下部のカバー５の第１カバー１０のみが上方に移動し、図３に示すように操作部材３が上下中間位置の時に第１カバー１０の下部と第２カバー２０の上部が係止して同時に上方に移動するように支持され、その後は操作部３とともに第１カバー１０と第２カバー２０が上方に移動し、図１に示す上方のストロークエンド位置の時に第１・第２カバー１０，２０がベース１内に収納され、その下部のカバー５の長さは最大となる。
【００２３】
この動作の時に上部のカバー５は次の動作をする。
操作部３とともに第１カバー１０が上方に移動し、操作部３が図３に示す中間位置の時に第１カバー１０の下部と第２カバー２０の下部が係止して同時に移動するように支持される。
操作部３がさらに上方に移動すると第１カバー１０と第２カバー２０が同時に上方に移動して図１に状態となる。なお、操作部３で第２カバー２０を上方に移動するようにしても良い。
【００２４】
前記第１・第２カバー１０，２０の具体形状の一例を説明する。
前記第１カバー１０は図４に示すように、長手方向一端部に連結部１１とストッパ１２を有し、長手方向他端部にガイド兼ストッパ１３を有する。
例えば、第１カバー１０はベース１の開口部２を塞ぐ幅を有する長尺の板状で、その長手方向一端部の幅方向両側に一対のフック１４を設けて前述の連結部１１としてある。このフック１４の幅方向両側面でストッパ１２としてある。
第１カバー１０の長手方向他端部の幅方向両側に一対の突片１５を設け、この突片１５は幅方向両側面及び裏面よりも突出して前述のガイド兼ストッパ１３としてある。
前記第２カバー２０は、前記ガイド兼ストッパ１３に沿って相対的に摺動自在で、長手方向一端部にガイド兼ストッパ２１と第１ストッパ２２を有し、長手方向他端部に第２ストッパ２３を有する。
例えば、第２カバー２０は第１カバー１０と同一幅の長尺な板状で、その長手方向一端部の幅方向両側部に表面よりも突出した一対の第１突起２４を設けてガイド兼ストッパ２１とし、幅方向両側面よりも突出した一対の第２突起２５を設けて第１ストッパ２２とし、長手方向他端部に幅方向両側面よりも突出した一対の第３突起２６を設けて第２ストッパ２３とし、第２カバー２０の裏面にガイド突条２７が長手方向に連結して設けてある。
【００２５】
前記第１カバー１０と第２カバー２０は、その裏面と表面を接してガイド兼ストッパ１３，２１をガイドとして長手方向に相対的に摺動自在に組み合わせられる。
そして、第１カバー１０と第２カバー２０は図５（ａ）に示すようにガイド兼ストッパ１３，２１相互が当接した状態で最大長さで、図５（ｂ）に示すようにストッパ１２とガイド兼ストッパ２１が当接した状態で最小長さである。
【００２６】
前記上部のカバー５と下部のカバー５は操作部３に上下反転して連結される。
上部のカバー５の場合には図１の状態で第１カバー１０のストッパ１２と第２カバー２０のガイド兼ストッパ２１が当たっている。図３の状態の時に前述のストッパ１２とガイド兼ストッパ２１が当たっていると共に、第２カバー２０の第２ストッパ２３がベース１に係止して第２カバー２０が下方に移動しないように保持する。
図２の状態の時にガイド兼ストッパ１３，２１相互が当たる。必ずしも当たる必要はない。
【００２７】
下部のカバー５の場合には図１の状態で第１カバー１０、第２カバー２０のガイド兼ストッパ１３，２１相互が当たっている。図３の状態でガイド兼ストッパ１３，２１相互が当たっていると共に、第２カバー２０の第１ストッパ２２がベース１に係止して第２カバー２０が下方に移動しないように保持する。図２の状態で第１カバー１０のストッパ１２と第２カバー２０のガイド兼ストッパ２１が当たる。必ずしも当たる必要はない。
【００２８】
このように、上部のカバー５の場合には第２カバー２０の第１ストッパ２２が不要で、下部のカバー５の場合には第２カバー２０の第２ストッパ２３が不要であるが、上部、下部のカバー５を兼用とするためと、後述するようにするために前述の形態としてある。
【００２９】
前述したように図１の状態から操作部３を下方に移動した時に、上部のカバー５の第２のカバー２０が摺動抵抗等で下方に移動せずに上方位置のままである恐れがある。
この場合には、操作部３が図３に示す上下中間位置の時に第１カバー１０のガイド兼ストッパ１３が第２カバー２０のガイド兼ストッパ２１に当接し、この状態から操作部３をさらに下方に移動すると第１カバー１０によって第２カバー２０が引張られて第２カバー２０は下方に移動する。
よって、上部のカバー５の第２カバー２０を上方位置から下方位置まで確実に移動できる。
すなわち、前述のことを達成するには、上部のカバー５の第１カバー１０の長手方向他端部（上部）と第２カバー２０の長手方向一端部（下部）が相互に係止して第１カバー１０とともに第２カバー２０が下方に移動するようにすれば良い。
【００３０】
また、前述したように図１の状態から操作部３を下方に移動した時に、下部のカバー５の第２のカバー２０が摺動抵抗等で下方に移動せずに上方位置のままである恐れがある。
この場合には、操作部３が図３に示す上下中間位置の時に第１カバー１０のストッパ１２が第２カバー２０のガイド兼ストッパ２１に当接し、この状態から操作部３をさらに下方に移動すると第１カバー１０によって第２カバー２０が押されて第２カバー２０は下方に移動する。
よって、下部のカバー５の第２カバー２０を上方位置から下方位置まで確実に移動できる。
すなわち、前述のことを達成するには、下部のカバー５の第１カバー１０の長手方向他端部（上部）と第２カバー２０の長手方向一端部（上部）が相互に係止して第１カバー１０とともに第２カバー２０が下方に移動するようにすれば良い。または、操作部３で第２カバー２０を押し下げるようにしても良い。
【００３１】
次に、各部材の具体形状を図４と図６と図７に基づいて説明する。
ベース１は本体３０とカバー体３１を備えている。この本体３０に開口部２が表面と裏面に貫通して形成してあると共に、長手方向両端部に第１孔３２−１と第２孔３２−２がそれぞれ形成してある。
この第１孔３２−１に落し棒４が摺動自在に挿通する。
前記第２孔３２−２に第１カバー１０と第２カバー２０が摺動自在に挿通する。この第２孔３２−２には第２カバー２０の突条２７が嵌まり合う凹部３２ａを有する。
前記本体３０は、その裏面３０ａにおける開口部２の幅方向両側に歯部３３を長手方向に間隔を置いて複数有し、この歯部３３が長手方向に連続した係止部を形成する。
なお、本体３０の裏面に凹部を形成し、その凹部にラックを取付け、そのラックの歯部を係止部としても良い。
【００３２】
この本体３０の裏面３０ａにおける開口部２の幅方向両側の長手方向両端寄りに突起３４が設けてある。
前記カバー体３１は断面ほぼコ字状の長尺材で、その両側片３１ａが本体３０の裏面３０ａに形成した溝３０ｂに嵌合して取付けられ、このカバー体３１は幅方向一対のガイド面３１ｂを有する。
このガイド面３１ｂと本体３０の裏面３０ａとの間に前述の第２カバー２０の第１・第２ストッパ２２，２３（第２突起２５、第３突起２６）が位置する（図７参照）。
前記上部のカバー５の第２カバー２０の第２ストッパ２３（第３突起２６）が図８（ａ）に示すように前述の長手方向一端寄りの突起３４に当接して下方位置に保持される。
前記下部のカバー５の第２カバー２０の第１ストッパ２２（第２突起２５）が図８（ｂ）に示すように前述の長手方向他端寄りの突起３４に当接して下方位置に保持される。
【００３３】
前記操作部３は操作つまみ３５と連動部材３６とロック部材３７を備え、この連動部材３６が開口部２に沿って移動自在に支承されると共に、落し棒４が連結される。
前記操作つまみ３５はロック部材３７と一体に連結されて連動部材３６に対してロック位置と非ロック位置に移動自在に取付けられ、弾性部材３８でロック位置に保持される。
ロック部材３７はラック歯３７ａを有し、図６、図７に示すようにロック位置の時にラック歯３７ａが前記本体３０の歯部３３に噛合して操作部材３が移動しないようにロックする。つまり、ロック部材３７は前述の係止部に係止する係止部を有する。
【００３４】
前記第１カバー１０が連動部材３６に連結される。例えば、連動部材３６に一対のフック１４を弾性的に係合して連結される。
前記操作つまみ３５を弾性部材３８に抗して裏面側に移動、すなわち押し込むとロック部材３７が非ロック位置に移動し、そのままの状態で操作つまみ３５を開口部２に沿って移動することで落し棒４を移動することができると共に、カバー５の第１カバー１０と第２カバー２０が前述のように移動して開口部２を塞ぐ。
なお、操作部３は前述のものに限ることはなく、ベース１の開口部２に沿って移動して落し棒４を移動できるものであれば良い。
【００３５】
前記第２カバー２０の突条２７は図９（ａ）に示すように１つでも良いし、図９（ｂ）に示すように突条２７の代わりに溝２８を長手方向に連続して形成しても良い。
この場合には、ベース１の本体３０に形成した第２孔３２−２に突条を形成し、この突条と溝２８を摺動自在に嵌合する。
【００３６】
前述の第１カバー１０のガイド兼ストッパ１３又は第２カバー２０のガイド兼ストッパ２１をストッパのみとし、第１カバー１０と第２カバー２０に相互に嵌合する突条、溝を形成して第１カバー１０と第２カバー２０を摺動自在に重ね合わせるようにしても良い。
例えば、図１０に示すように第１カバー１０の裏面に突条１０ａ、第２カバー２０表面に溝２０ａを形成することで、ストッパ１３ａのみとする。
図１１に示すように第１カバー１０の裏面に溝１０ｂ、第２カバー２０の表面に突条２０ｂを形成することで、ストッパ１３ａのみとする。
図１２（ａ）に示すように、第１カバー１０を下向きコ字状とし、その裏面に第２カバー２０を摺動自在に嵌め合わせる。
図１２（ｂ）に示すように、第１カバー１０を上向きコ字状とし、その表面に第２カバー２０を摺動自在に嵌め合わせる。
図１２（ｃ）に示すように、第１カバー１０をあり溝１０ｃを有する断面形状とし、そのあり溝１０ｃ内に第２カバー２０を摺動自在に嵌合する。
【００３７】
前記カバー５は２枚に限ることはなく３枚以上でも良い。
例えば、図１３に示すように前述の第１カバー１０と、前述の第２カバー２０と同様の第２のカバー２０−１と、前述の第２カバー２０と同様で幅広い第３のカバー２０―２を順次摺動自在に重ね合わせる。この場合にはベース１に２つの突起を長手方向に間隔を置いて形成し、第２のカバー２０−１、第３のカバー２０−２を下方に移動しないように保持する。
よって、開口部２の長さが長い場合には、カバー５自体の長さを長くすること無く前述のようにカバーの枚数を増やすことによって開口部２を塞ぐことができる。
したがって、開口部２の長さが長くなる場合でも、ベース１からのカバーの突出量が大きくならずに済む。
【００３８】
【発明の効果】
請求項１に係る発明によれば、操作部３をストロークエンド位置から一方向に移動するとカバー５が伸び作動して順次長くなるので、このカバー５で開口部２を塞ぐことができる。
操作部３をストロークエンド位置に向けて他方向に移動するとカバー５は縮み作動して順次短くなるので、ベース１からの突出量が操作部３の移動量よりも小さい。
よって、落し錠よりも上部、下部に設けた錠、ガイド部品とカバー５が干渉することを防止できる。
【００３９】
請求項２に係る発明によれば、操作部３の移動によって複数のカバーが順次移動して長くなったり、重ね合うことで短くなるので、操作部３の移動によってカバー５が長くなったり、短くなったりし、カバー５を長くしたり、短くするための動力源等が不要でカバー５が安価であると共に、カバー５は操作部３の位置に応じた長さとなり、開口部２を確実に塞ぐことができる。
【００４０】
請求項３に係る発明によれば、操作部３が上方のストロークエンド位置の時に下部のカバー５が長いので、その下部のカバー５で開口部２を塞ぐことができ、上部のカバー５は短くベース１から上方への突出量が小さい。
操作部３が下方のストロークエンド位置の時に上部のカバー５が長いので、その上部のカバー５で開口部２を塞ぐことができ、下部のカバー５は短くベース１から下方への突出量が小さい。
よって、操作部３を上下に移動した時に開口部２をカバー５で塞ぐことができるし、カバー５のベース１から上方への突出量、下方への突出量が操作部３の移動量よりも小さく、落し錠よりも上部、下部に設けた錠、ガイド部品とカバー５が干渉することを防止できる。
【００４１】
請求項４に係る発明によれば、操作部３とともに各第１カバー１０が上下に移動し、その各第１カバー１０で下方位置の第２カバー２０を上方位置に移動するので、開口部３を第１カバー１０と第２カバー２０で確実に塞ぐことができると共に、その操作が容易である。
【図面の簡単な説明】
【図１】操作部が上方のストロークエンド位置の状態の落し錠の側面図である。
【図２】操作部が下方のストロークエンド位置の状態の落し錠の側面図である。
【図３】操作部が上下中間位置の状態の落し錠の側面図である。
【図４】落し錠の分解斜視図である。
【図５】カバーの伸縮動作の説明図である。
【図６】落し錠の操作部部分の縦断面図である。
【図７】図６のＡ−Ａ断面図である。
【図８】カバーの伸縮動作の説明図である。
【図９】カバーの第２カバーの他の実施の形態を示す斜視図である。
【図１０】カバーの第２の実施の形態を示す分解斜視図である。
【図１１】カバーの第３の実施の形態を示す分解斜視図である。
【図１２】カバーの第１・第２カバーを摺動自在とする他の実施の形態の断面図である。
【図１３】カバーの第４の実施の形態を示す分解斜視図である。
【符号の説明】
１…ベース、２…開口部、３…操作部、４…落し棒、５…カバー、１０…第１カバー、２０…第２カバー。
【図１】
2004190373.tif 000003
【図２】
2004190373.tif 000004
【図３】
2004190373.tif 000005
【図４】
2004190373.tif 000006
【図５】
2004190373.tif 000007
【図６】
2004190373.tif 000008
【図７】
2004190373.tif 000009
【図８】
2004190373.tif 000010
【図９】
2004190373.tif 000011
【図１０】
2004190373.tif 000012
【図１１】
2004190373.tif 000013
【図１２】
2004190373.tif 000014
【図１３】
2004190373.tif 000015